(57)【要約】      （修正有）【課題】淡く柔らかい光のグラデーションの動的模様により、人の心を和ませ癒す効果をより強調した立体面状のスクリーンを持つスクリーン器具を提供する。【解決手段】携帯型電子機器の表示部を取り付けるための取り付け用基台３０と、取り付け用基台３０に表示部を覆う立体面状のスクリーン１０とを備えたスクリーン器具であって、立体面状のスクリーン１０の面の少なくとも一つの面には前記自発光する画像の光を立体面状のスクリーン１０の内側に導くために開放された窓を備えた底板２０を基台３０に取り付け、立体面状のスクリーン１０の他の面は、携帯型電子機器の画像の光がそのスクリーンの内表面に当って反射、散乱及び／又は混合した結果作られた光模様を投影するように構成されており、立体面状のスクリーン１０の外側からその投影された光模様を眺めることができる。【選択図】図１
0003199574.tif 000002
【実用新案登録請求の範囲】
【請求項１】
二次元的な自発光する画像を表示する携帯型電子機器の、該携帯型電子機器の表示部を取り付けるための取り付け用基台と、該取り付け用基台に前記表示部を覆う立体面状のスクリーンとを備えたスクリーン器具であって、前記立体面状のスクリーンの面の少なくとも一つの面には前記自発光する画像の光を前記立体面状のスクリーンの内側に導くために開放された窓を備えた底板を前記基台に取り付け、前記立体面状のスクリーンの他の面は、前記携帯型電子機器の画像の光がそのスクリーンの内表面に当って反射、散乱及び／又は混合した結果作られた光模様を投影するように構成されており、その立体面状のスクリーンの外側からその投影された光模様を眺めることができることを特徴としたスクリーン器具。
【請求項２】
前記スクリーン器具の立体面状のスクリーン内側には、前記携帯型電子機器の自発光する画像から導かれた光が立体面状のスクリーンの内側でより効果的に混合されるように、その光を分岐させたり反射させたり散乱させる衝立を内側補助部材として配置した構造を持つことを特徴とした請求項１に記載のスクリーン器具。
【請求項３】
前記立体面状のスクリーンの外側補助部材として星型や小球体や十字架などの小形の補助的な立体面状のスクリーンを設置し、該補助的な立体面状のスクリーンと接続されて該補助的な立体面状のスクリーン内部に光を導く集光部材とからなるものを用いることを特徴とする請求項１又は請求項２に記載のスクリーン器具。
【請求項４】
前記立体面状のスクリーンは、折り畳み可能な構造を持たせることもできることを特徴とする請求項１乃至請求項３のいずれか一項に記載のスクリーン器具。
【考案の詳細な説明】
【技術分野】
【０００１】  本考案は、携帯型電子機器の二次元の画像スライドショーを表示する表示部を本来の目的と違った、人の心を癒す道具として立体面状のスクリーンに投影する器具に関する。
【背景技術】
【０００２】  デジタルカメラ、電子辞書、携帯電話、スマートフォン、ウェアラブル端末、デジタルフォトフレーム、タブレット、パーソナルコンピュータなど動画や静止画像のスライドショーとして連続的に表示出来る携帯型電子機器の表示部は、その画像を注視して情報を伝えることが本来の使用目的である。【０００３】  また、特許文献１には通常の電球やＬＥＤを光源として用い、表面に飾りを付けて美的効果を持たせた電気スタンドや行灯がある。また、特許文献２には、ＬＥＤ装飾照明器具において、これらの光の点滅周期を速くしたり遅くしたりの切り替え操作によって、使用者の気分を活性と癒しの雰囲気をつくるものが提案されている。【０００４】  しかし上記技術は、行灯の表面に描いた模様、あるいは予め照明のパターンがプログラムされた手順のみによって変化させて美的効果を持たせるものであって、利用者が任意の光模様を自作して複雑に変化させながら簡単に表示することは出来ないという欠点があった。
【先行技術文献】
【特許文献】
【０００５】
【特許文献１】登録実用新案第３１５６９５１号公報
【特許文献２】特開２０１０−１５９６２号公報
【考案の概要】
【考案が解決しようとする課題】
【０００６】  本考案は、以上のような従来の欠点に鑑み、自在に変えられる二次元的な自発光の画像を光源として利用し、その画像の多色の光を空間的に拡がる淡く柔らかい光のグラデーションの動的模様に換えることにより、人の心を和ませ癒す効果をより強調した立体面状のスクリーンを持つスクリーン器具を提供することを目的としている。ここで光源として使う二次元的な画像には、それの素子自体が発光またはバックライト光源により多種類の色の画像を表示する携帯型電子機器の表示部を用いることを想定している。
【課題を解決するための手段】
【０００７】  上記目的を達成するために、立体面状のスクリーンの一面は光源からの光をこの立体面状のスクリーンの内側に導く開放面とし、その開放面を表示する携帯型電子機器の表示部を覆うように設置することによって、表示部に描かれた画像の多色の光が立体面状のスクリーンの内側で反射・散乱・混合することを利用する。このことによって、異なる色の領域の境界が重なることになり、立体面状のスクリーンの画像投影用の他の面上に柔らかいグラデーション模様を表示させる。立体面状のスクリーンの形状は、円錐形、半球形、円筒形、直方体や多角形柱などの基本形状のみならず、様々な形状およびそれらの組み合わせ形状を取り得る。
【考案の効果】
【０００８】  携帯型電子機器の表示部に表示するはっきりした模様のスライドショー画像の多色の光が立体面状のスクリーン内表面に当って反射や散乱を繰り返して混合された結果作られた一見して具体的な情報としては何の意味も無いような光模様が変化しながら立体面状のスクリーンを淡く幻想的に光らせる。さらに、立体面状のスクリーンの内側には、携帯型電子機器の表示部の画像からの多色の光をより効果的に混合させる目的で、光を分岐・反射・散乱させるための衝立を設置することによって、立体面状のスクリーンを淡く幻想的に光らせる効果をより高めることができる。【０００９】  さらに、立体面状のスクリーンの外側には、光模様をより引き立たせる目的で、補助部材として小形の立体面状のスクリーン（例えば星形や小球体や十字架など）を設置し、その内部に光を導く集光部材を接続させることによって、癒しの効果を高めることも可能である。【００１０】  さらに、音楽などの音声を同時に流すことによってより癒し効果を強めることができる。【００１１】  携帯型電子機器として通信端末機器を使う場合、電話や電子メールの着信に関しては、その機能を阻害することはなく、通信端末機器のホルダーとしても使うことができる。【００１２】  さらに、立体面状のスクリーンは、ネックレスやブレスレットなどの装身具のホルダーとしても使うことができる。
【図面の簡単な説明】
【００１３】
【図１】円錐形のスクリーン器具の一部内側を透視した外観図である。
【図２】円錐形のスクリーン器具の横から見た外観図である。
【図３】立体面状のスクリーンを基台に着脱する状態を示した断面図である。
【図４】外部補助部材を設置した円錐形のスクリーン器具外観図である。
【図５】半球形のスクリーン器具の外観図である。
【図６】円筒形のスクリーン器具の外観図である。
【図７】直方体のスクリーン器具の外観図である。
【図８】六角柱形のスクリーン器具の外観図である。
【図９】二種の立体形を組み合わせたスクリーン器具の外観図である。
【図１０】建造物などを模擬した立体面状のスクリーン器具の外観図である。
【図１１】星空を模した円筒形のスクリーン器具の外観図である。
【図１２】手帳用テント形の携帯用スクリーン器具の外観図である。
【考案を実施するための形態】
【００１４】  本考案のスクリーン器具は、携帯型電子機器の自発光する表示部を着脱自在に設置可能とした携帯型電子機器の表示部を取り付けるための取り付け用基台３０（図１から図１１）と、少なくとも一面は表示部の画像の光を導入するよう開放し、他の面は前記携帯型電子機器の表示部の画像の多色の光が立体面状のスクリーンの内表面に当って繰り返し反射や散乱して混合させることによって作られる光の模様をスクリーンの内表面に投影して、その模様を外側から眺めることができるようにした立体面状のスクリーン１０、１１、１２、１３，１４，１５，１６、１７、１８（図１から図１２）とで構成される。
【００１５】  前記基台は、内部に携帯型電子機器の表示部を収納するための空間３２を有している。具体的には、この基台の一面は、前記立体面状のスクリーンの光導入面に接するように携帯型電子機器の表示部全体を挟み込んで置く構造（図２、図３）とする。立体面状のスクリーンの光を導入する面には、前記携帯型電子機器の表示部の画像の大きさに合わせて開放された光導入用窓２１を付けた底板２０を、前記基台への着脱ができるように取り付ける。基台の側面には、この底板の一辺を挟む固定留め具３３とその底板の反対の一辺をワンタッチで留める板ばね留め具３４を設置する。この構造によって、立体面状のスクリーンと基台は着脱が容易となる。図２は立体面状のスクリーンを基台に取り付けた状態を横から見た外観で、図３は立体面状のスクリーンを基台に着脱する状態を示した断面図である。
立体面状のスクリーンを基台に取り付ける方法を上記の構造とすることによって、本器具を水平の台に置いて使うだけでなく、壁にかけたり、斜めに立て掛けたり、正立あるいは逆さに吊るして使うことが可能となる。
しかし光導入部の構造はこれに限られたものではなく、基台から立体面状のスクリーン内側に向かって光が発せられるようになっていればよい。
【００１６】  前記立体面状のスクリーンの形状は、円錐形１０（図１、図２、図３、図４）、半球形１１（図５）、円筒形１２（図６）、直方体１３（図７）や多角形柱１４（図８）などの基本形状のみならず、複数の平面あるいは曲面で構成された様々な形状を取り得、それらを組み合わせた例１５（図９）や利用者が好む建造物や物品を模した例１６（図１０）や不透明の円筒に開けた多数の小さな穴の部分だけが光るようにして星空を模した例１７（図１１）など自由な形状にすることができる。
【００１７】  立体面状のスクリーンの構造は、そのスクリーンの内表面に映し出された光模様だけは立体面状のスクリーンの外から眺められるが、携帯型電子機器の表示部の画像および立体面状のスクリーンの内側の構造を外側からはどの方向からも明瞭に見通すことができないように作ることにより、立体面状のスクリーンに映し出された模様はより幻想的なものになる。
【００１８】  基台の側面には、充電用や音声外部取出し用のケーブルの貫通口３５を開けた外枠３１を設け、また、これらケーブルが取り付けられた状態のままの携帯型電子機器の着脱が容易な構造（図３）とし、携帯型電子機器本来の使用目的の機能を阻害することを回避している。
【００１９】  本スクリーン器具の内側補助部材として、例えば、図７に示すように、立体面状のスクリーン内側に設置する衝立４２が考えられる。この衝立により、立体面状のスクリーンの内側での多色の光が分岐・反射・散乱されて、より効果的に混合されるので、立体面状のスクリーンに投影される光の変化はさらに幻想的なものになる。
【００２０】  また、外側補助部材として、例えば図４に示すように、立体面状のスクリーンの外側に設置された小形の立体面状のスクリーン４０と、それに接続され、立体面状のスクリーンの内側に位置して光を集めて導く集光部材４１とからなるものが考えられる。この構成の補助部材によって、光模様により多様な癒し効果を持たせることができる。
【００２１】  上記補助部材については、上記の構成に限るものではなく、様々な構成が考えられる。
【００２２】  表示部上に表示するスライドショーのデジタル画像データファイルおよび、画像の表示と同時に流す複数の音楽などをセットしたデジタル音声データファイルを予め記憶媒体に記憶させて提供し、利用者の希望に合わせてそれらのデータを選択して携帯型電子機器内の記憶領域にコピーして使えるようにすることができるものとする。
【００２３】  前項に記載の、音楽などの音声を流す際にその音声がスクリーン器具基台内部に篭らないよう、携帯型電子機器のスピーカー取り付け位置に対応した底板の位置には音声の流通口２２を設ける。
【実施例】
【００２４】  図１は、円錐形の立体面状のスクリーンを、基台の上に取り付けた様子で、基台の中に置いた携帯型電子機器の表示部の画像の光が光導入窓２１を通して立体面状のスクリーンの内側に入る構造を示している。表示部の画像として多色の領域にはっきり分けて描いても、立体面状のスクリーンの内側に入ったその画像の光は、立体面状のスクリーンの内表面に直接当るだけでなく、反射・散乱・混合を繰り返すので、スクリーンに境界がぼやけた淡い模様を映し出す。また表示部上の画像を、スライドショーあるいは動画として時々刻々変化させることにより、立体面状のスクリーンに映し出された淡い模様も時間とともに変化するので単調な模様ではなくなり、癒しの効果が強められる。【００２５】  図４は、前記図１の円錐形の立体面状のスクリーンに外側補助部材を取り付けた様子で、立体面状のスクリーン内側で光を集めて導く集光部材４１を付けた小形の立体面状のスクリーン４０（図４の例では星型）を円錐体の頂部に取り付けた構造を示している。これにより、立体面状のスクリーンに映し出された模様に加えて、例えば星形の補助部材であれば、クリスマスツリーをイメージした具体的な意味のある模様を表現するので、場所やタイミングに合わせた利用の仕方が可能となる。【００２６】  図５は、半球形の立体面状のスクリーン１１を、前記円錐形の立体面状のスクリーンに替えて取り付けたもので、そこに映し出される多色の光模様は、天球に広がるオーロラをイメージさせる構造である。【００２７】  図６は、円筒形立体面状のスクリーン１２を、前記円錐形の立体面状のスクリーンに替えて基台の上に取り付けたもので、光の柱をイメージさせる構造である。【００２８】  図７は、直方体立体面状のスクリーン１３を、前記円錐形の立体面状のスクリーンに替えて取り付けたもので、灯籠あるいはクリスタルが淡く光る様子がイメージされる構造を示している。また、この図では直方体の内側に補助部材の衝立４２を取り付けた様子を示している。【００２９】  上記の実施例に記載の立体面状のスクリーンを折り畳み可能な構造にすることにより、本スクリーン器具全体ないしは立体面状のスクリーン部分だけを持ち運びが容易なものにすることも可能である。また、図１２の例のようなテント形立体面状のスクリーン１７を手帳に平たく畳んで綴じ、使用の際に開いて立体化させるようにすることも可能である。
【符号の説明】
【００３０】１０  円錐形立体面状のスクリーン
１１  半球形立体面状のスクリーン
１２  円筒形立体面状のスクリーン
１３  直方体立体面状のスクリーン
１４  多角柱形立体面状のスクリーン
１５  組み合わせ型立体面状のスクリーン
１６  利用者が好む建造物や物品を模した立体面状のスクリーン
１７  星空を模した円筒形立体面状のスクリーン
１８  テント形立体面状のスクリーン
２０  立体面状のスクリーンに付けた底板
２１  光導入窓
２２  音声流通口
３０  携帯型電子機器の表示部を取り付けるための取り付け用基台
３１  基台外枠
３２  携帯型電子機器の表示部を収納するための空間
３３  立体面状のスクリーンの基台との固定留め具
３４  立体面状のスクリーンの基台との板ばね留め具
３５  ケーブル貫通口
４０  外側補助部材（小型の立体面状のスクリーンの例）
４１  外側補助部材用集光部材
４２  内側補助部材（光の分岐・反射・散乱用衝立の例）
５０  手帳
【図１】
0003199574.tif 000003
【図２】
0003199574.tif 000004
【図３】
0003199574.tif 000005
【図４】
0003199574.tif 000006
【図５】
0003199574.tif 000007
【図６】
0003199574.tif 000008
【図７】
0003199574.tif 000009
【図８】
0003199574.tif 000010
【図９】
0003199574.tif 000011
【図１０】
0003199574.tif 000012
【図１１】
0003199574.tif 000013
【図１２】
0003199574.tif 000014
【手続補正書】
【提出日】平成27年6月2日(2015.6.2)
【手続補正１】
【補正対象書類名】実用新案登録請求の範囲
【補正対象項目名】請求項４
【補正方法】変更
【補正の内容】
【請求項４】
前記立体面状のスクリーンは、折り畳み可能な構造を持っていることを特徴とする請求項１乃至請求項３のいずれか一項に記載のスクリーン器具。